(57)【要約】【課題】均一な照射面を得ることができる発光装置を提供する。【解決手段】発光装置１０は、ＬＥＤ１１と、光透過性材料により形成された透明柱状体１２とを備える。透明柱状体１２は、ＬＥＤ１１からの光が入射される底面部１７と、底面部１７から入射した光を全反射するよう形成された側面部１８と、側面部１８と滑らかに連続する曲面状の上面部１９とを有する。ＬＥＤ１１は、底面部１７の周縁部から透明柱状体１２内に光が入射するよう配置される。【選択図】図３
2014130744.tif 000002
【特許請求の範囲】
【請求項１】
光源と、
光透過性材料により形成された透明柱状体であって、前記光源からの光が入射される底面部と、前記底面部から入射した光を全反射するよう形成された側面部と、前記側面部と滑らかに連続する曲面状の上面部と、を有する透明柱状体と、
を備え、
前記光源は、前記底面部の周縁部から前記透明柱状体内に光が入射するよう配置されることを特徴とする発光装置。
【請求項２】
前記底面部の周縁部から前記透明柱状体内に入射した光の一部は、前記側面部で全反射を繰り返しながら前記透明柱状体内をらせん状に進み、前記透明柱状体内に断面強度分布が均一な光束領域を形成することを特徴とする請求項１に記載の発光装置。
【請求項３】
前記底面部の周縁部に沿って複数の光源が配置されることを特徴とする請求項１または２に記載の発光装置。
【請求項４】
前記複数の光源は、色の異なる光源を含むことを特徴とする請求項３に記載の発光装置。
【請求項５】
前記透明柱状体の側面部に溝部が形成されたことを特徴とする請求項１から４のいずれかに記載の発光装置。
【請求項６】
請求項１から５のいずれかに記載の発光装置と、
前記発光装置における透明柱状体の上方に配置されたレンズと、
を備えることを特徴とする光照射装置。
【請求項７】
前記レンズは、前記光束領域に焦点が位置するように配置されることを特徴とする請求項６に記載の光照射装置。
【請求項８】
前記レンズは、凸レンズ、凹レンズ、シリンダーレンズ、およびズームレンズのいずれかであることを特徴とする請求項７に記載の光照射装置。
【請求項９】
前記レンズを可動する可動機構をさらに備えることを特徴とする請求項７または８に記載の光照射装置。
【請求項１０】
前記透明柱状体と前記レンズとの間に設けられた絞り部材をさらに備えることを特徴とする請求項６から９のいずれかに記載の光照射装置。
【請求項１１】
前記透明柱状体と前記レンズとの間に設けられたパターン形成部材をさらに備えることを特徴とする請求項６から９のいずれかに記載の光照射装置。
【発明の詳細な説明】
【技術分野】
【０００１】
本発明は、発光装置および該発光装置を用いた光照射装置に関する。
【背景技術】
【０００２】
一般に懐中電灯やスポットライトなどの指向性を重視した照明装置は、反射鏡を使って指向性の強い光を作り出す。図１は、一般的な照明装置の構成を示す。図１に示す照明装置１において、光源２の側面から放射される明るい光は、楕円面や放物面の反射鏡３によって前方に明るいスポット光領域を作り出す。しかし実際には、光源２として用いられる電球などは、前方にも強い光を放つので、反射鏡３から外れた光線が大きく薄く広がって照射される。このため照明装置１から出射される光は、一般的に、中心付近が明るいスポット光領域で、その周りに薄暗い照射領域を持つ不均一な照射面を形成する。また、光源２や反射鏡３の形状によっては、中央部も不均一な照射面になる。また、照明装置１においては、特に光と闇の境界線を明確にすることが難しい。
【０００３】
図１に示すような照明装置１において、より均一な照射面を得たい場合は、光源２に遮光用の覆いをかぶせ、前方に照射されるかなりの光量を犠牲にして、これを実現している。また懐中電灯のように少しの光量も無駄にしたくない場合は、奥行きのより深い反射鏡３を使って反射鏡３から外れる光を少なくしたり、レンズで周辺に広がる光を集光して利用することが考えられるが、これらの方法でも均一な照射面を作るのは容易ではない。
【０００４】
均一でエネルギー効率のよいスポット光を作るには、光源の光をそのままレンズで投影する方法が考えられるが、フィラメント電球などを使った場合、光源のフィラメント形状がそのまま投影されて均一な照射面にならない。半導体用の露光装置などでは、フィラメント光源から均一な光源面を作るためにフライアイ・レンズやシリンドリカルレンズ、反射鏡などを組み合わせた大掛かりな光学系を使っており、装置自体が非常に大きく高価になる。
【０００５】
一方、最近の省エネの潮流としてＬＥＤの増々の大出力化が進んでいる。しかし発光素子自体の輝度は、年々増加しているとはいうものの、現状の大出力ＬＥＤ光源は、複数の小さなＬＥＤ半導体チップをマトリクス状に多数個並べ、強い光を作り出しているにすぎない。このため実装や熱の問題もあり、大きな出力のＬＥＤ光源ほど面積が広くなる傾向がある。
【０００６】
しかしながら、このような方法で作られたＬＥＤ光源は、フィラメント光源と比べ、色のムラや影のでき方が不自然になるなどの問題がある。特にこのようなＬＥＤ光源を使い、従来の反射鏡やレンズの技術によってスポット光を作る場合は、ＬＥＤチップの色ムラや明るさムラ、またチップ形状や配置の状態などがはっきり映し出される問題があり、きれいな光が作りにくい。
【０００７】
より均一な光源を得るため、ＬＥＤチップの直後に乳白の散光板を配置し、その散光板を光源とする方法も試みられているが、透過性が悪く取り出せる光も少ないので効率の良いスポット光を作りにくい。反対に効率を上げるため明るいＬＥＤチップや透過性がよい散光板を使うと、ＬＥＤチップが透けて見え、やはりきれいなスポット光が作り出せない。
【先行技術文献】
【特許文献】
【０００８】
【特許文献１】特開２０１２−１２４０５４号公報
【発明の概要】
【発明が解決しようとする課題】
【０００９】
本発明はこうした状況に鑑みてなされたものであり、その目的は、均一な照射面を得ることができる発光装置および光照射装置を提供することにある。
【課題を解決するための手段】
【００１０】
上記課題を解決するために、本発明のある態様の発光装置は、光源と、光透過性材料により形成された透明柱状体であって、光源からの光が入射される底面部と、底面部から入射した光を全反射するよう形成された側面部と、側面部と滑らかに連続する曲面状の上面部と、を有する透明柱状体とを備える。光源は、底面部の周縁部から透明柱状体内に光が入射するよう配置される。
【００１１】
底面部の周縁部から透明柱状体内に入射した光の一部は、側面部で全反射を繰り返しながら透明柱状体内をらせん状に進み、透明柱状体内に断面強度分布が均一な光束領域を形成してもよい。
【００１２】
底面部の周縁部に沿って複数の光源が配置されてもよい。また、複数の光源は、色の異なる光源を含んでもよい。また、透明柱状体の側面部に溝部が形成されてもよい。
【００１３】
本発明の別の態様は、光照射装置である。この光照射装置は、上述の発光装置と、発光装置における透明柱状体の上方に配置されたレンズとを備える。
【００１４】
レンズは、光束領域に焦点が位置するように配置されてもよい。レンズは、凸レンズ、凹レンズ、シリンダーレンズ、およびズームレンズのいずれかであってもよい。レンズを可動する可動機構をさらに備えてもよい。
【００１５】
透明柱状体とレンズとの間に設けられた絞り部材をさらに備えてもよい。また、透明柱状体とレンズとの間に設けられたパターン形成部材をさらに備えてもよい。
【００１６】
なお、以上の構成要素の任意の組合せ、本発明の表現を装置、方法、システムなどの間で変換したものもまた、本発明の態様として有効である。
【発明の効果】
【００１７】
本発明によれば、均一な照射面を得ることができる発光装置および光照射装置を提供できる。
【図面の簡単な説明】
【００１８】
【図１】一般的な照明装置の構成を示す図である。
【図２】本発明の実施形態に係る光照射装置の概略構成を説明するための図である。
【図３】透明柱状体の斜視図である。
【図４】透明柱状体の円柱体内を進む光を説明するための図である。
【図５】透明柱状体内を進むらせん光を示す斜視図である。
【図６】透明柱状体内を進むらせん光を示す側面図である。
【図７】発光装置の前方に凹レンズを配置した実施形態を示す図である。
【図８】透明柱状体の底面部の周縁部に色の異なるＬＥＤを配置した実施形態を示す図である。
【図９】透明柱状体の底面部の中央部にＬＥＤを配置した実施形態を示す図である。
【図１０】透明柱状体の底面部に発光面が大きな面光源を配置した実施形態を示す図である。
【図１１】透明柱状体の底面部の中央部に反射板を配置した実施形態を示す図である。
【図１２】側面部と底面部とがなす角部を曲面状に形成した実施形態を示す図である。
【図１３】透明柱状体と凸レンズとの間に機械式の絞り部材を配置した実施形態を示す図である。
【図１４】透明柱状体と凸レンズとの間にパターン形成部材を配置した実施形態を示す図である。
【図１５】図１５（ａ）は本実施形態に係る光照射装置から照射されるスポット光を示す図であり、図１５（ｂ）は通常の光照射装置から照射されるスポット光を示す図である。
【図１６】透明柱状体の変形例を示す図である。
【発明を実施するための形態】
【００１９】
図２は、本発明の実施形態に係る光照射装置の概略構成を説明するための図である。図２に示すように、本実施形態に係る光照射装置１００は、発光装置１０と、凸レンズ２０とを備える。
【００２０】
発光装置１０は、主に、光源としての複数のＬＥＤ１１と、ＬＥＤ１１を搭載する基板１４と、ＬＥＤ１１からの光が入射される透明柱状体１２とを備える。透明柱状体１２は、ＬＥＤ１１からの光の一部をらせん状に内部反射させることによって、透明柱状体１２内に断面強度分布が均一な光束領域１３を形成する。
【００２１】
凸レンズ２０は、光束領域１３を仮想的な光源として、光束領域１３の像を前方に投影する。本実施形態に係る光照射装置１００によれば、効率的で理想的なスポット光を照射することができる。
【００２２】
図３は、透明柱状体１２の斜視図である。上述したように、発光装置１０は、光源としての複数のＬＥＤ１１と、ＬＥＤ１１からの光が入射される透明柱状体１２とを備える。なお、図２では、ＬＥＤ１１を搭載する基板の図示を省略している。
【００２３】
本実施形態において、ＬＥＤ１１は、表面実装型のＬＥＤであってよい。表面実装型のＬＥＤは、ヒートシンクが砲弾型のＬＥＤと比べて設け易いので、大電流を流して高い輝度で発光させることができる。
【００２４】
透明柱状体１２は、アクリル樹脂などの光透過性材料により形成されている。透明柱状体１２は、円柱体１５と、該円柱体１５の一方の底面上に設けられた半球状体１６とから成る。図３では、説明のために円柱体１５と半球状体１６の間に線を描いているが、円柱体１５と半球状体１６は光透過性材料により一体的に形成されている。
【００２５】
円柱体１５の他方の底面は、ＬＥＤ１１からの光が入射される入射面とされている。この入射面を透明柱状体１２の底面部１７と呼ぶ。底面部１７は、円柱体１５の中心軸に垂直な円形の平面とされている。また、円柱体１５の側面を透明柱状体１２の側面部１８と呼ぶ。側面部１８は、底面部１７から透明柱状体１２内に入射した光を全反射するよう形成されている。また、半球状体１６の表面を透明柱状体１２の上面部１９と呼ぶ。上面部１９は、透明柱状体１２と滑らかに連続するよう形成されている。
【００２６】
複数のＬＥＤ１１は、底面部１７の下方に配置される。本実施形態に係る発光装置１０において、複数のＬＥＤ１１は、底面部１７の周縁部から透明柱状体１２内に光が入射するよう配置される。図３に示すように、複数のＬＥＤ１１は、底面部１７の周縁部に沿って並べられている。各ＬＥＤ１１は、発光面が底面部１７と平行になるように、言い換えると、光軸が底面部１７に対して垂直となるように配置されている。本実施形態では、ＬＥＤ１１の発光面と透明柱状体１２の底面部１７とが当接しているが、これらは離間していてもよい。
【００２７】
次に、本実施形態に係る発光装置１０の発光の様子について説明する。図４は、透明柱状体の円柱体１５内を進む光を説明するための図である。図４では便宜上、半球状体１６の図示が省略されている。ＬＥＤ１１は実際には面発光の光源であるが、ここでは点光源とみなして説明する。また、説明を簡単にするために、１つのＬＥＤ１１から放出された光について説明する。
【００２８】
図４に示すように、底面部１７の周縁部に配置されたＬＥＤ１１からは、様々な放射角で光が放射され、底面部１７から円柱体１５内に入射する。円柱体１５内に入射した光は、半球状に様々な方向に進む。円柱体１５内に入射した光には、側面部１８で反射せずに直接上面部１９に到達する光や、上面部１９で反射された後、さらに底面部１７で反射する光などが存在するが、円柱体１５内に入射した光の多くは側面部１８で全反射を繰り返しながら、円柱体１５内をらせん状に進む。このように円柱体１５内をらせん状に進む光を「らせん光」と呼ぶ。らせん光は、円柱体１５の端面から抜けるときには、リング状の光になる。このような光束が多数、中心付近を除く円柱体１５の断面全体に一様分布している。
【００２９】
図５は、透明柱状体１２内を進むらせん光を示す斜視図である。また、図６は、透明柱状体１２内を進むらせん光を示す側面図である。円柱体１５の端面から抜けたらせん光は、半球状体１６の上面部１９で全反射して向きを変え、再びらせん光となって円柱体１５に戻る。半球状体１６の上面部１９は、接線がらせん光に対し臨界角以下の角度を保ちながらつながる滑らかな曲面とされる。当然ながら各光線は、ＬＥＤから放射状に放射されているから、もとの光源位置とちがう場所に行き着くものが多い。結果として、これらの光は全体的に分布するため、円柱体１５内の底面部１７の少し上の部分に断面強度分布が均一な光束領域１３を形成する。この光束領域１３は、強度分布が均一な面を円柱体１５の中心軸方向に重ねた円柱状の領域である。ここで得られる光束領域１３は、いろいろな方向に複雑に反射して戻ってきた光が混じりあって形成されたものであるため、色のムラや光のムラが出にくい。
【００３０】
このようにして形成された光束領域１３に凸レンズ２０（図２参照）の焦点を合わせると、光束領域１３が投影され、透明柱状体１２の断面を外形とするシャープなスポット光をつくることができる。また、この仮想的な光源である光束領域１３のみを投影するため、非常に狭い照射角を持ったビーム状の照明をつくることもできる。
【００３１】
スポット光が投影されている状態で凸レンズ２０の焦点位置を少し底面部１７側に移動すると発光しているＬＥＤ１１そのものの形が投影されることから、この光束領域１３はＬＥＤ１１より少し上の位置に形成されていることがわかる。凸レンズ２０の代わりに通常のズームレンズを取り付けてスポット光の大きさを変えることもできるが、光束領域１３がある程度の厚みを持っているため、１枚の凸レンズ２０でも焦点を光束領域１３内で移動させると見かけ上の画角が変わるため、仮想的に焦点距離を変化させるような効果が生じ、スポット光のズームが可能になる。凸レンズ２０を可動させるための可動機構を光照射装置１００に設けてもよい。
【００３２】
図７は、発光装置１０の前方に凹レンズ２１を配置した実施形態を示す。図７に示すように、凸レンズの代わりに光束領域１３に焦点が位置するよう凹レンズ２１を配置すれば、断面強度分布が均一な光束領域１３の像を広げて投影することができる。また、凸レンズに代えてシリンダーレンズが配置されてもよい。
【００３３】
一般にレンズや反射鏡などの光学部品は、それらの表面と空気などの外部物質との境界のみの性質を使ったデバイスである。従来、レンズは、光を屈折させる平面として単純化され、レンズ内の光の振る舞いについては、ほとんど考慮されていない。一方、本実施形態に係る発光装置１０は、空気中ではなく、透明体内部で仮想的な光源や像を発生させ、これを積極的に使うという点で、従来の光学部品とは、全く違うコンセプトを持つ。透明体内で光を扱うこの方法は、発熱の少ないＬＥＤ光源の出現により、ガラスよりはるかに成形が自由なアクリル等の透明樹脂で形成した透明体を光源に密着した形で、あるいは極く近傍に配した形で使えるようになったことではじめて可能になった技術である。
【００３４】
ＬＥＤ１１を透明柱状体１２の底面部１７の周縁部に配置した場合、ユークリッド空間（平面）を用いた作図からは想像できない光の振る舞いを立体的に考える必要がある。透明柱状体１２の底面部１７の中心付近で全方位に輝くＬＥＤ光源の一部分から放射される光は、通常の側面を描いた平面上の作図と同じ結果になり、一般には、これをもって光路図などを作成する。しかしながら、透明柱状体１２の底面部１７の中心から外れた周縁部にあるＬＥＤ１１から放射される光は、ＬＥＤ光源を中心付近に配置した場合とは異なる光路を進む光束を多く持つ。
【００３５】
本実施形態に係る発光装置１０において、らせん光を生じさせるためには、底面部１７の周縁部から透明柱状体１２内に光が入射するようＬＥＤ１１を配置する必要がある。当然、多少の片寄りはでるもののＬＥＤ１１が１個でも光束領域１３が発生する現象は十分に起こる。
【００３６】
図８は、透明柱状体１２の底面部１７の周縁部に色の異なるＬＥＤを配置した実施形態を示す。図８に示すように、例えば赤色ＬＥＤ１１Ｒ、緑色ＬＥＤ１１Ｇ、青色ＬＥＤ１１Ｂを透明柱状体１２の底面部１７の周縁部に配置してもよい。このように色の異なる光源を透明柱状体１２の底面部１７の周縁部に配置することにより、これらの光源からの光を均一に混色することができる。
【００３７】
図９は、透明柱状体１２の底面部１７の中央部にＬＥＤ２３を配置した実施形態を示す。らせん光の効果は、透明柱状体１２の底面部１７の周縁部に光源を置くことによってのみ生じるが、照明装置としては、追加的に底面部１７の中央部に光源を置くことも考えられる。この場合、底面部１７の中央部に配置したＬＥＤ２３から出射された光はらせん光とはならないが、スポット光の強度を高めることができる。
【００３８】
図１０は、透明柱状体１２の底面部１７に発光面が大きな面光源２４を配置した実施形態を示す。図１０に示す実施形態において、面光源２４の周辺部は、透明柱状体１２の底面部１７の周縁部まで及んでいる。このような場合も、透明柱状体１２の底面部１７の周縁部に光源が配置されたものと同様に考えることができる。すなわち、面光源２４の周辺部の発光面を、透明柱状体１２の底面部１７の周縁部に配置された光源と見なすことができ、らせん光を生じさせることができる。
【００３９】
図１１は、透明柱状体１２の底面部１７の中央部に反射板２５を配置した実施形態を示す。このように透明柱状体１２の底面部１７の中央部分に反射板２５を置くと、透明柱状体１２内部で反射された光が効率的に反射されるため、照射輝度が上がる効果がある。底面部１７の中央部に反射板２５を置く代わりに、底面部１７の中央部に例えばアルミ蒸着処理を施して反射鏡を形成してもよい。
【００４０】
本透明柱状体１２において、円柱体１５の高さを高くすると、光束領域１３の厚さが増すが、輝度は低くなる傾向がある。一方、円柱体１５の高さを低くする場合は、直径と高さの比が１を切る扁平なものになると効果が弱くなる。
【００４１】
透明柱状体１２は、多少錐体がかっていても同様ならせん光の発生効果が認められる。円柱体１５の代わりに角を丸めた多角形柱でも同様ならせん光の発生効果が認められるが、三角柱や四角柱など角数が少ないと光ムラが出やすい。
【００４２】
上述の実施形態では、光源としてＬＥＤを用いたが、無機ＥＬ（Electro-Luminescence）、有機ＥＬなども光源として利用することができる。
【００４３】
図１２は、側面部１８と底面部１７とがなす角部を曲面状に形成した実施形態を示す。上述の実施形態では、透明柱状体１２を円柱体１５をベースとして形成しているため、底面部１７と側面部１８は直交している。しかしながら、この場合、ＬＥＤ１１から透明柱状体１２内に入射した浅い角度の光が円柱体１５の側面部１８から抜ける可能性がある。そこで、図１２に示すように、側面部１８と底面部１７とがなす角部を曲面状に形成することにより、ＬＥＤ１１から透明柱状体１２内に入射した浅い角度の光が反射し、側面部１８から外部に漏れる光を低減できる。当然、反射鏡や散乱光を防止する工夫も必要なくなり、光照射装置１００の奥行きを小さくできる。
【００４４】
本実施形態に係る発光装置１０から照射される光は、前方の凸レンズ２０によりハッキリした丸いスポット光として照射面に投影される。この場合、凸レンズ２０の焦点距離が長いほど、スポット径は小さくなる。反対に焦点距離の短い凸レンズ２０ほどスポット径は大きくなる。図１３は、透明柱状体１２と凸レンズ２０との間に機械式の絞り部材２６を配置した実施形態を示す。透明柱状体１２内には、均一な光源面が形成されるため、透明柱状体１２と凸レンズ２０の間に機械式の絞り部材２６をおくことで、光源の大きさを変えて光を投影することができる。この場合、絞りの形状は、周辺で適当にぼけるので、スポットはきれいな形のままである。また光束密度が一定のままスポット径が変化するので、スポットを見つめた場合に中央部分に見かけ状暗い影が見える残像現象が起こらず、極めて自然にスポット径が変化する。
【００４５】
図１４は、透明柱状体１２と凸レンズ２０との間にパターン形成部材２７を配置した実施形態を示す。パターン形成部材２７は、画像を焼き付けたフィルムや模様穴を開けた板であってよい。このように透明柱状体１２と凸レンズ２０との間にパターン形成部材２７を配置することにより、所望のパターンをきれいに投影することができる。
【００４６】
透明柱状体１２内の光束領域１３に集光された光は、透明柱状体１２の前方に設けた凸レンズ２０によって実像投影される形で前方に投影されるが、適切に配置された透明柱状体１２からは周辺に広がる光がないため、効率の良いきれいなスポット光を作ることができる。光源を投影する場合、距離に応じた正確なピント合わせが必要になるが、透明柱状体１２内の均一な光束領域１３がある程度の厚みを持つ柱状になるため、照射距離の違いによるピントの問題は実用上ない。上述したように、この性質を使い透明柱状体１２の前方に配置された一枚の凸レンズ２０を動かすだけで、仮想的に焦点距離を動かすことが出来るため、ズーミングが可能である。
【００４７】
図１５（ａ）は本実施形態に係る光照射装置１００から照射されるスポット光を示し、図１５（ｂ）は通常の光照射装置２００から照射されるスポット光を示す。
【００４８】
図１５（ｂ）に示す光照射装置２００は、光源１６０から出射された光を直接凸レンズ１６２で前方に投影するものである。図１５（ｂ）に示すように、通常の光照射装置２００においては、凸レンズ１６２の前方に障害物１５０を置くと、この障害物１５０により凸レンズ１６２から出射された光が遮られるので、障害物１５０の影１５２が投影される。
【００４９】
一方、図１５（ａ）に示す本実施形態に係る光照射装置１００においては、凸レンズ２０前方に照射される光が斜めに発射されるため、凸レンズ２０から出射された光は障害物１５０を回り込み、障害物１５０の影が投影されにくい。この特徴を利用して、本実施形態に係る光照射装置１００は、電線など光を遮る物が多い場所での建物のライトアップや医療用のライトなどに適用することができる。
【００５０】
図１６は、透明柱状体１２の変形例を示す。図１６に示すように、透明柱状体１２の側面部１８には、所望の形状の溝部２８が形成されてもよい。側面部１８に溝部２８を形成することにより、照射面に照射されるスポット光に模様を付与することができる。
【００５１】
以上、本発明を実施の形態をもとに説明した。本実施の形態は例示であり、それらの各構成要素の組合せにいろいろな変形例が可能なこと、またそうした変形例も本発明の範囲にあることは当業者に理解されるところである。
【符号の説明】
【００５２】
１０  発光装置、  １１  ＬＥＤ、  １２  透明柱状体、  １３  光束領域、  １５  円柱体、  １６  半球状体、  １７  底面部、  １８  側面部、  １９  上面部、  ２０  凸レンズ、  ２１  凹レンズ、  ２４  面光源、  ２５  反射板、  ２７  パターン形成部材、  ２８  溝部、  １００  光照射装置、  １５０  障害物。
【図１】
2014130744.tif 000003
【図２】
2014130744.tif 000004
【図３】
2014130744.tif 000005
【図４】
2014130744.tif 000006
【図５】
2014130744.tif 000007
【図６】
2014130744.tif 000008
【図７】
2014130744.tif 000009
【図８】
2014130744.tif 000010
【図９】
2014130744.tif 000011
【図１０】
2014130744.tif 000012
【図１１】
2014130744.tif 000013
【図１２】
2014130744.tif 000014
【図１３】
2014130744.tif 000015
【図１４】
2014130744.tif 000016
【図１５】
2014130744.tif 000017
【図１６】
2014130744.tif 000018